(57)【特許請求の範囲】
【請求項１】
吸着材である除湿ロータ(２,２２)と、
室内からの空気を上記除湿ロータ(２,２２)の吸着領域(２a,２２a)を介して室内に戻すための除湿通路(５,２５)と、
室内からの空気を上記除湿ロータ(２,２２)の再生領域(２b,２２b)を介して排気する排気通路(６,２６)と、
上記排気通路(６,２６)の上記除湿ロータ(２,２２)の上流側に配置され、上記除湿ロータ(２,２２)の再生領域(２b,２２b)に流入する空気を加熱する加熱手段(４,２４)と、
２つの吹出口を有して、上記除湿通路(５,２５)および上記排気通路(６,２６)に風を送る１つのターボファン(３,２３)とを備え、
上記１つのターボファン(３,２３)によって、室内空気を上記除湿ロータ(２,２２)の吸着領域(２a,２２a)を介して吸い込み、吸い込まれた室内空気の一部を１つの上記吹出口から室内に吹き出す一方、吸い込まれた室内空気の残りをもう１つの上記吹出口から吹き出して上記加熱手段(４,２４)により加熱して上記除湿ロータ(２,２２)の再生領域(２b,２２b)に吹き込むことを特徴とする除湿機。
【請求項２】
請求項１に記載の除湿機において、
上記排気通路(２６)は、室内からの空気を上記除湿ロータ(２２)の再生領域(２２b)を介して室外に排出するものであることを特徴とする除湿機。
【請求項３】
請求項１に記載の除湿機において、
上記除湿ロータ(２)の再生領域(２b)を通った後の空気の水分を凝縮する凝縮器(７)と、
上記凝縮器(７)により凝縮された水を貯めるタンク(８)とを備えたことを特徴とする除湿機。
【請求項４】
請求項１に記載の除湿機において、
上記除湿ロータ(２)の再生領域(２b)を通った後の空気の水分を凝縮する凝縮器(７)と、
上記凝縮器(７)により凝縮された水を排水するドレンホースとを備えたことを特徴とする除湿機。
【請求項５】
請求項１乃至４のいずれか１つに記載の除湿機の構造を有し、局所空間に設置されることを特徴とする局所空間用除湿機。
【発明の詳細な説明】
【０００１】
【発明の属する技術分野】
この発明は、室内を除湿する除湿機および局所空間用除湿機に関する。
【０００２】
【従来の技術】
従来、除湿機としては、図４に示すものがある(特開平１１−３００１４６号公報)。この除湿機は、図４に示すように、ファン１０４により除湿通路１０７を介して取り入れられた室内空気は、凝縮器１０３の一方通路１０３aを通って凝縮器１０３を冷却した後、回転する除湿ロータ１０２の吸着領域１０２aを通って除湿されて放出される。また、ファン１０６によって再生通路１０８を通って吸い込まれた再生用空気は、ヒータ１０５によって加熱されて、除湿ロータ１０２の再生領域１０２bを通って再生領域１０２bの吸着材から水分を脱着する。
【０００３】
そうして、再生された吸着材は、除湿ロータ１０２の矢印Ａ方向の回転によって吸着領域１０２a側に移動し、再び除湿通路１０７を通る室内空気から水分を吸着する。また、上記除湿ロータ１０２を通過することにより吸着材から水分を脱着して加湿された多湿空気は、凝縮器１０３の他方通路１０３bを通って冷却され、多湿空気に含まれた水分が凝縮してタンク１１０内に溜まる。
【０００４】
【発明が解決しようとする課題】
ところで、上記除湿機では、除湿通路１０７用のファン１０４と再生通路１０８用のファン１０６を備えるため、構造が複雑となって小型化,軽量化ができず、コストが高くつくという欠点がある。特に、壁掛型の除湿機において重量が重く寸法が大きい場合、壁面に据え付ける作業が困難となる。
【０００５】
そこで、この発明の目的は、簡単な構成で小型化,軽量化でき、コストを低減できる除湿機および局所空間用除湿機を提供することにある。
【０００６】
【課題を解決するための手段】
上記目的を達成するため、請求項１の除湿機は、吸着材である除湿ロータと、室内からの空気を上記除湿ロータの吸着領域を介して室内に戻すための除湿通路と、室内からの空気を上記除湿ロータの再生領域を介して排気する排気通路と、上記排気通路の上記除湿ロータの上流側に配置され、上記除湿ロータの再生領域に流入する空気を加熱する加熱手段と、２つの吹出口を有して、上記除湿通路および上記排気通路に風を送る１つのターボファンとを備え、上記１つのターボファンによって、室内空気を上記除湿ロータの吸着領域を介して吸い込み、吸い込まれた室内空気の一部を１つの上記吹出口から室内に吹き出す一方、吸い込まれた室内空気の残りをもう１つの上記吹出口から吹き出して上記加熱手段により加熱して上記除湿ロータの再生領域に吹き込むことを特徴としている。
【０００７】
上記請求項１の除湿機によれば、上記除湿ロータの吸着領域の下流側に配置された１つのターボファンによって、室内空気を上記除湿ロータの吸着領域を介して吸い込み、吸い込まれた室内空気の一部を１つの吹出口から室内に吹き出す一方、吸い込まれた室内空気の残りをもう１つの吹出口から吹き出して上記加熱手段により加熱して除湿ロータの再生領域に吹き込む。そうすることによって、室内空気の水分を除湿ロータの吸着領域の吸着材に吸着させて、除湿された空気が室内に供給される一方、除湿ロータに吸着された水分が脱着されて空気を加湿し、加湿された空気を処理する。例えば、加湿された空気の水分を凝縮器により凝縮させて排水したり、加湿された空気を室外に排出したりする。そして、上記除湿ロータが回転することによって、吸着材が吸着領域から再生領域に移って吸着材の再生が行われ、再生された吸着材が再び再生領域から吸着領域に移って吸脱着を繰り返す。したがって、上記除湿通路と排気通路にそれぞれファンを設けるよりも、小型化,軽量化でき、コストを低減できる。
【０００８】
また、請求項２の除湿機は、請求項１の除湿機において、上記排気通路は、室内からの空気を上記除湿ロータの再生領域を介して室外に排出するものであることを特徴としている。
【０００９】
上記請求項２の除湿機によれば、上記除湿ロータに吸着された水分が脱着されて加湿された空気を上記排気通路を介して室外に排出することによって、タンクが不要で排水作業の必要がないと共に、水漏れの恐れがなく、水漏れの発生を防止できる。また、排水ホースがないので、設置の自由度が広がる。さらに、凝縮器やタンクを用いない簡単な構成であるので、コストをさらに低減できる。
【００１０】
また、請求項３の除湿機は、請求項１の除湿機において、上記除湿ロータの再生領域を通った後の空気の水分を凝縮する凝縮器と、上記凝縮器により凝縮された水を貯めるタンクとを備えたことを特徴としている。
【００１１】
上記請求項３の除湿機によれば、上記除湿ロータに吸着された水分が脱着されて加湿された多湿空気の水分を上記凝縮器により凝縮させて、その凝縮水を上記タンクに貯めることによって、除湿により室内空気から取り除かれた水分を容易に処理できる。
【００１２】
また、請求項４の除湿機は、請求項１の除湿機において、上記除湿ロータの再生領域を通った後の空気の水分を凝縮する凝縮器と、上記凝縮器により凝縮された水を排水するドレンホースとを備えたことを特徴としている。
【００１３】
上記請求項４の除湿機によれば、上記除湿ロータに吸着された水分が脱着されて加湿された多湿空気の水分を上記凝縮器により凝縮させて、その凝縮水を上記ドレンホースにより排水することによって、除湿により室内空気から取り除かれた水分を容易に処理できる。
【００１４】
【００１５】
【００１６】
【００１７】
【００１８】
また、請求項５の局所空間用除湿機は、請求項１乃至４のいずれか１つの除湿機の構造を有し、局所空間に設置されることを特徴としている。
【００１９】
上記請求項５の局所空間用除湿機によれば、この小型化,軽量化された局所空間用除湿機をクロゼット,押し入れ,下駄箱,脱衣所およびトイレットなどの除湿を最も必要とするような局所空間に広い設置場所を取ることなく設置でき、狭い局所空間を効果的に除湿することができる。
【００２０】
【発明の実施の形態】
以下、この発明の除湿機および局所空間用除湿機を図示の実施の形態により詳細に説明する。
【００２１】
（第１実施形態）
図１はこの発明の第１実施形態の壁掛型の除湿機の概略構成図であり、１は壁１０の室内側壁面に取り付けられたケーシング、２は上記ケーシング１内に配置され、軸が水平になるように回転自在に支持された円板形状の除湿ロータ、３は上記ケーシング１内に配置され、上記除湿ロータ２の吸着領域２aを介して室内空気を吸い込むターボファン、４は上記ターボファン３と除湿ロータ２の再生領域２bとの間に配置されたヒータである。上記除湿ロータ２は、シリカゲル,ゼオライト,アルミナ等の吸着材が例えばハニカム状または多孔多粒状に成形されており、円板形状の軸を中心に図示しないモータにより回転する。
【００２２】
上記除湿機には、室内から吸い込まれた空気を除湿ロータ２の吸着領域２a,ターボファン３を介して室内に戻すための除湿通路５を形成している。また、上記ターボファン３から吹き出した空気を除湿ロータ２の再生領域２bを介して排出するための排気通路６を形成している。そして、上記除湿通路５の除湿ロータ２の上流側、かつ、排気通路６の除湿ロータ２の下流側に、凝縮器７を配置し、その凝縮器７の下側に、凝縮器７から滴下する凝縮水を貯めるタンク８を配置している。
【００２３】
上記構成の除湿機において、ターボファン３によって吸い込まれた室内空気が凝縮器７を通った後、除湿ロータ２の吸着領域２aを通って除湿され、除湿された空気の一部がターボファン３の一方の吹出口３aから吹き出して再び室内に戻る。また、上記除湿ロータ２の吸着領域２aを通って除湿された空気の残りは、ターボファン３の他方の吹出口３bから吹き出してヒータ４により加熱され、その加熱された空気が除湿ロータ２の再生領域２bに供給されて、その再生領域２bの吸着材から水分を脱着する。そして、水分を脱着して加湿された空気を凝縮器７を介して室内に排気する。このとき、上記凝縮器７を室内から吸い込まれた空気により冷却し、除湿ロータ２の再生領域２bから水分を脱着して加湿された多湿空気に含まれた水分が凝縮器７で凝縮し、凝縮器７から滴下した凝縮水がタンク８に貯まる。
【００２４】
このように、上記第１実施形態の除湿機では、除湿ロータ２の吸着領域２aの下流側に配置された１つのターボファン２３によって、室内空気を除湿ロータ２２の吸着領域２aを介して吸い込み、室内に吹き出す一方、除湿ロータ２の再生領域２bに吹き込み、凝縮器７を介して室内に吹き出すので、除湿通路と排気通路にそれぞれファンを設けるよりも、小型化,軽量化でき、コストを低減することができる。
【００２５】
なお、上記除湿機ではタンク８を備えたが、凝縮器７により凝縮された水をドレンホースにより排水してもよい。
【００２６】
（第２実施形態）
図２はこの発明の第２実施形態の壁掛型の除湿機の概略構成図であり、２１は壁２０の室内側壁面に取り付けられたケーシング、２２は上記ケーシング２１内に配置され、軸が水平になるように回転自在に支持された円板形状の除湿ロータ、２３は上記ケーシング２１内に配置され、上記除湿ロータ２２の吸着領域２２aを介して室内空気を吸い込むターボファンである。上記除湿ロータ２２は、シリカゲル,ゼオライト,アルミナ等の吸着材が例えばハニカム状または多孔多粒状に成形されており、円板形状の軸を中心に図示しないモータにより回転する。
【００２７】
上記除湿機には、室内から吸い込まれた空気を除湿ロータ２２の吸着領域２２a,ターボファン２３を介して室内に戻すための除湿通路２５を形成している。また、上記ターボファン２３から吹き出した空気を除湿ロータ２２の再生領域２２bを介して室外に排出するための排気通路２６を形成している。上記排気通路２６のターボファン２３と除湿ロータ２２の再生領域２２bとの間に、空気を加熱するヒータ２４を配置している。
【００２８】
上記構成の除湿機において、室内空気は、除湿ロータ２２の吸着領域２２aを通って除湿された後にターボファン２３に吸い込まれ、その除湿された空気の一部は、ターボファン２３の一方の吹出口２３aから吹き出して再び室内に戻る。一方、除湿された空気の残りは、ターボファン２３の他方の吹出口２３bから吹き出してヒータ２４により加熱され、その加熱された空気が除湿ロータ２２の再生領域２２bに供給され、再生領域２２bの吸着材から水分を脱着する。そして、水分を脱着して加湿された多湿空気を排気通路２６を介して室外に排出する。
【００２９】
このように、上記第２実施形態の除湿機では、除湿ロータ２２の吸着領域２２aの下流側に配置された１つのターボファン２３によって、室内空気を除湿ロータ２２の吸着領域２２aを介して吸い込み、室内に吹き出す一方、除湿ロータ２２の再生領域２２bに吹き込み、室外に排出するので、除湿通路と排気通路にそれぞれファンを設けるよりも、小型化,軽量化でき、コストを低減することができる。
【００３０】
また、図３(A)は上記除湿機の排気に用いられる２重管タイプのダクト５０の構造を示し、図３(B)は上記除湿機の排気に用いられる並列管タイプのダクト６０の構造を示している。なお、上記ダクト５０,６０は、図２に示す壁２０を貫通するように設置される。
【００３１】
図３(A)に示すダクト５０は、円筒形状の外管５１とその外管５１内に挿通された円筒形状の内管５２とを有する２重管構造をしており、内管５２内に排気通路２６の一部を形成し、外管５１の内周面と内管５２の外周面との間に外気を吸い込むための吸気通路を形成している。上記ダクト５０の内管５２を排気通路２６の一部として用いて、除湿ロータ２２の再生領域２２bを通った後の多湿空気を室外に排出する一方、ダクト５０の外管５１の内周面と内管５２の外周面との間に形成された吸気通路を介して室外の空気を室内に導くことによって、換気を行うことができる。
【００３２】
また、図３(B)に示すダクト６０は、断面を２分割する仕切部６０aを有する並列管構造をしており、ダクト６０の一方の通路が排気通路２６の一部であり、ダクト６０の他方の通路が外気を吸い込むための吸気通路である。上記ダクト６０の一方の通路を排気通路２６の一部として用いて、除湿ロータ２２の再生領域２２bを通った後の多湿空気を室外に排出する一方、ダクト６０の他方の通路である吸気通路を介して室外の空気を室内に導くことによって、換気を行うことができる。
【００３３】
特に、気密性の高い部屋において、多湿空気の排気通路のみを設けた場合は、排気が困難となって除湿機能が妨げられるが、上記ダクト５０,６０を用いて吸気通路を設けることによって、多湿空気の排気が容易となる。
【００３４】
【００３５】
【００３６】
【００３７】
【００３８】
【００３９】
（第３実施形態）
また、この発明の第３実施形態の局所空間用除湿機は、上記第１,第２実施形態の除湿機の構造を有している。この局所空間用除湿機をクロゼット,押し入れ,下駄箱,脱衣所およびトイレットなどの局所空間に設置することによって、設置場所を大きく取らずに狭い局所空間を除湿することができる。また、凝縮器を用いずに多湿空気を排出する場合は、室外に限らず、上記局所空間に隣接する部屋や廊下等の換気が行われる空間に排出してもよい。
【００４０】
また、上記第１,第２実施形態では、壁掛型の除湿機について説明したが、据置型の除湿機等にこの発明を適用してもよい。
【００４１】
また、上記第１,第２実施形態では、ターボファン２３,３３,４３Ａ,４３Ｂを用いたが、シロッコファン,遠心ファン,軸流ファンまたはクロスフローファン等のいかなるファンを用いてもよく、送風系を２つに分割可能な１つのファンであればよい。
【００４２】
【発明の効果】
以上より明らかなように、請求項１の発明の除湿機によれば、室内からの空気を除湿ロータの吸着領域を介して室内に戻すための除湿通路および室内からの空気を除湿ロータの再生領域を介して排気する排気通路に１つのターボファンによって風を送り、室内空気の水分を除湿ロータの吸着領域の吸着材に吸着させて、除湿された空気が室内に供給される一方、除湿ロータの再生領域に流入する空気を加熱手段により加熱し、加熱された空気により除湿ロータに吸着された水分を脱着させて、それにより加湿された多湿空気を処理するので、除湿通路と排気通路にそれぞれファンを設けるよりも、小型化,軽量化でき、コストを低減することができる。
【００４３】
また、請求項２の発明の除湿機によれば、請求項１の除湿機において、上記除湿ロータに吸着された水分が脱着されて加湿された空気を上記排気通路を介して室外に排出することによって、凝縮器やタンクが不要で排水作業の必要がないと共に、水漏れの恐れがなく、水漏れの発生を防止することができる。さらに、排水ホースがないので、設置の自由度が広がると共に、凝縮器やタンクを用いない簡単な構成によりコストをさらに低減することができる。
【００４４】
また、請求項３の発明の除湿機によれば、請求項１の除湿機において、上記除湿ロータに吸着された水分が脱着されて加湿された多湿空気の水分を凝縮器により凝縮させて、その凝縮水をタンクに貯めることによって、除湿により室内空気から取り除かれた水分を容易に処理することができる。
【００４５】
また、請求項４の発明の除湿機によれば、請求項１の除湿機において、上記除湿ロータに吸着された水分が脱着されて加湿された多湿空気の水分を凝縮器により凝縮させて、その凝縮水をドレンホースにより排水することによって、除湿により室内空気から取り除かれた水分を容易に処理することができる。
【００４６】
【００４７】
【００４８】
また、請求項５の発明の局所空間用除湿機によれば、請求項１乃至４のいずれか１つの除湿機の構造を有する小型の局所空間用除湿機を、クロゼット,押し入れ,下駄箱,脱衣所およびトイレットなどの局所空間に設置することによって、場所を取らずに狭い局所空間を除湿することができる。
【図面の簡単な説明】
【図１】  図１はこの発明の第１実施形態の壁掛型の除湿機の概略構成図である。
【図２】  図２この発明の第２実施形態の壁掛型の除湿機の概略構成図である。
【図３】  図３(A),(B)は上記除湿機に用いられるダクトの斜視図である。
【図４】  図４は従来の除湿機の概略構成図である。
【符号の説明】
１,２１,３１…ケーシング、
２,２２,３２…除湿ロータ、
２a,２２a,３２a,…吸着領域、
２b,２２b,３２b…再生領域、
３,２３,３３…ターボファン、
４,２４,３４…ヒータ、
５,２５,３５…除湿通路、
６,２６,３６…排気通路、
７…凝縮器、
８…タンク、
１０,２０,３０…壁、
５０,６０…ダクト。
【図１】
0003861579.tif 000002
【図２】
0003861579.tif 000003
【図３】
0003861579.tif 000004
【図４】
0003861579.tif 000005